(57)【要約】 【課題】  エアゾール容器内の内容物使用時には、誤作動による噴出ヘッドの廻動を防止し、さらに、使用済みエアゾール容器の残留ガスを抜き取る際に、消費者に、ガス抜きを行うことに対して意識付けを喚起することができる内容物噴出容器のガス抜き機構を提供すること。【解決手段】  エアゾール容器に装着される噴出ヘッドと、肩カバーとを備えた内容物噴出容器において、噴出ヘッドは、上壁と噴出孔を配設した側周壁とを具え、上壁には、コインなどの平板状のものの側部が係合する嵌合溝を設け、側周壁の下端外周には、係合突部を突設し、肩カバーは、内筒と、エアゾール容器のマウンテンカップに係合する係合筒とを具え、内筒下端に噴出ヘッドの係合突部の上面に当接し、噴出ヘッドの上下動および左右廻動を案内する案内凹部を具え、噴出ヘッドの嵌合溝に、コインなどの平板状のものを嵌合させ回転させることにより、噴出ヘッドを廻動させ押下げるようにしたことを特徴とする。【選択図】        図１
2007119034.tif 000002
【特許請求の範囲】
【請求項１】
エアゾール容器に装着される噴出ヘッドと、肩カバーとを備えた内容物噴出容器において、
噴出ヘッドは、上壁と噴出孔を配設した側周壁とを具え、上壁には、コインなどの平板状のものの側部が係合する嵌合溝を設け、側周壁の下端外周には、係合突部を突設し、
肩カバーは、内筒と、エアゾール容器のマウンテンカップに係合する係合筒とを具え、内筒下端に噴出ヘッドの係合突部の上面に当接し、噴出ヘッドの上下動および左右廻動を案内する案内凹部を具え、
噴出ヘッドの嵌合溝に、コインなどの平板状のものを嵌合させ回転させることにより、噴出ヘッドを廻動させ押下げるようにしたことを特徴とする内容物噴出容器。
【請求項２】
案内凹部が、左右の側面と底面とからなり、底面が，高底面部と低底面部、および二つの底面部を結ぶ傾斜底部を具えていることを特徴とする請求項１記載の内容物噴出容器。  
【発明の詳細な説明】
【技術分野】
【０００１】
本発明は、内容物噴出容器、とくにエアゾール容器のステムに装着される噴出ヘッドと、エアゾール容器のマウンテンカップに装着される肩カバーとを具えた内容物噴出容器のガス抜き機構に関するものである。
【背景技術】
【０００２】
使用済みエアゾール容器の残留ガスを抜き取るために、噴出ヘッドを押下げ位置に維持して残留ガスを抜き取るようにした内容物噴出容器は、従来より周知となっている。
また、噴出ヘッドを廻動させることで、肩カバーとの係合により噴出ヘッドを下降させ、押下げ位置に維持して残留ガスを抜き取るようにした内容物噴出容器も従来より知られている（例えば、特許文献１参照）。
【特許文献１】特開２００３−１６５６８６号公報
【発明の開示】
【発明が解決しようとする課題】
【０００３】
しかしながら、上記特許文献記載の内容物噴出容器では、エアゾール容器内にまだ使用できる内容物が残っている時に、誤って噴出ヘッドを廻動すると、噴出ヘッドを押下げ位置に維持して内容物を無駄に噴出してしまうという問題があった。
【０００４】
本発明は、上記問題を解決することを課題として、エアゾール容器内の内容物使用時には、誤作動による噴出ヘッドの廻動を防止し、さらに、使用済みエアゾール容器の残留ガスを抜き取る際に、消費者に、ガス抜きを行うことに対して意識付けを喚起することができる内容物噴出容器のガス抜き機構を提供することを目的とする。
【課題を解決するための手段】
【０００５】
本発明は、上記の課題を解決するため、内容物噴出容器として、エアゾール容器に装着される噴出ヘッドと、肩カバーとを備えた内容物噴出容器において、噴出ヘッドは、上壁と噴出孔を配設した側周壁とを具え、上壁には、コインなどの平板状のものの側部が係合する嵌合溝を設け、側周壁の下端外周には、係合突部を突設し、肩カバーは、内筒と、エアゾール容器のマウンテンカップに係合する係合筒とを具え、内筒下端に噴出ヘッドの係合突部の上面に当接し、噴出ヘッドの上下動および左右廻動を案内する案内凹部を具え、噴出ヘッドの嵌合溝に、コインなどの平板状のものを嵌合させ回転させることにより、噴出ヘッドを廻動させ押下げるようにしたことを特徴とする構成を採用する。
【０００６】
案内凹部の実施態様として、案内凹部が、左右の側面と底面とからなり、底面が、高底面部と低底面部、および二つの底面部を結ぶ傾斜底部を具えていることを特徴とする構成を採用する。
【発明の効果】
【０００７】
エアゾール容器に装着される噴出ヘッドと、肩カバーとを備えた内容物噴出容器において、噴出ヘッドの上壁に、コインなどの平板状のものの側部が係合する嵌合溝を設け、嵌合溝に、コインなどの平板状のものを嵌合させ回転させることで噴出ヘッドを廻動し、噴出ヘッドを押下げ位置に維持させることができるようにしているので、内容物が残っている時に、誤作動により噴出ヘッドが廻動して内容物を無駄に噴出してしまうことを防止することができるようになった。
また、消費者はコインなどの平板状のものを使うことで、エアゾール容器内のガス抜きを行うことに対して意識付けを喚起することができるようになった。
【発明を実施するための最良の形態】
【０００８】
次に、本発明の噴出容器の実施形態について、図面を参照して説明する。
図１、２において、Ａはエアゾール容器、Ｂはエアゾール容器Ａに装着された噴出ヘッド、Ｃはエアゾール容器Ａに装着され、噴出ヘッドＢをカバーする肩カバーである。
【０００９】
エアゾール容器Ａは、金属製または合成樹脂製であり、胴部１と、胴部１上端から内側上方に傾斜する肩部２と、肩部２上端に連設されたマウンテンカップ３とを具備している。
マウンテンカップ３は、上部外周に肩カバーＣを装着する係合環４を形成し、内方中央には、上端にステム５を突出したエアゾールバルブが取着されている。
【００１０】
噴出ヘッドＢは、合成樹脂により成形され、上壁１０と、噴出孔１１を配設した側周壁１２とを具え、エアゾール容器Ａのステム５に装着され、噴出ヘッドＢを押下げることにより、噴出孔１１からエアゾール容器Ａ内の内容物が噴出される。
上壁１０上面には、コインｃなどの平板状のものの側部が係合する嵌合溝１３が配設されている。
【００１１】
側周部１２外周下端の所定の位置には、係合突部１４が突設され、側周壁１２外周には、肩カバーＣと係合し、上下動が案内される突部１５が配設されている。
【００１２】
肩カバーＣは、一体成形された合成樹脂製であり、噴出ヘッドＢを囲む筒状体となっており、上方部前方には、内容液を噴出させるための噴出用の切欠部２０と、上方部後方には押下げ操作のための操作用の切欠部２１が形成されている。
筒状体は、内周壁となる内筒２２と、下端が係合環４に係合される係合筒２３と、外周壁となる下端がエアゾール容器Ａの肩部２上面に当接する外筒２４と、頂壁２５とを具えるとともに、噴出用の切欠部２０は、傾斜壁２６と対向する側壁２７によって構成され、操作用の切欠部２１は、上壁２８と側壁２９によって構成されている。
【００１３】
内筒２２下端には、噴出ヘッドＢの側周壁１２の係合突条１４と係合し、噴出ヘッドＢの左右動を案内する案内凹部３０が所定の位置に凹設されている。
内筒２２の内周面には、所定の位置に二条の案内突条３１が設けられ、案内突条３１の間に噴出ヘッドＢの側周壁１２の突部１５が係合することによって、噴出ヘッドＢの上下動を案内するようになっている。
噴出ヘッドＢの突部１５と肩カバーＣの案内突条３１は、噴出ヘッドＢの横廻動に対してある程度の抵抗をもって係合が外れるように形成されている。
【００１４】
案内凹部３０は、図３に示すように、底面３２と側面３３とを具えており、底面３２には、右の側面３３側に、噴出ヘッドＢの係合突条１４の上面に下面が当接し、内容物噴出時に、噴出ヘッドＢが上下動可能になる高さの高底面部３２ａと、左の側面３３側に、噴出ヘッドＢの係合突条１４の上面に下面が当接し、噴出ヘッドＢが上昇不能になる高さの低底面部３２ｂと、高底面部３２ａと低底面部３２ｂとをつなぐ傾斜面を持つ傾斜底部３２ｃとが形成されている。
【００１５】
係合筒２３の内周下端部には、エアゾール容器Ａのマウンテンカップ３の係合環４の下側に係合する係合突条３５が設けられており、係合筒２３内周と係合突条３５が係合環４に係合して、肩カバーＣがエアゾール容器Ａから抜け落ちることを防止している。
【００１６】
次に、本発明の容器の使用態様と作用効果について説明する。
容器の組立方法は、まず、内容物を充填したエアゾール容器Ａのステム５に噴出ヘッドＢが装着され、次いで、肩カバーＣを、噴出ヘッドＢの噴出孔１１側に肩カバーＣの噴出用の切欠部２０が向くようにエアゾール容器Ａに装着する。
その際、図３（ａ）に示すように、噴出ヘッドＢの係合突部１４上面が、肩カバーＣの内筒２２下端の案内凹部３０の高底面部３２ａ下面の右側端部と当接するとともに、噴出ヘッドＢの側周壁１２外周の突部１５と肩カバーＣの内筒２２内周の案内突条３１とが係合する。
【００１７】
本発明の容器の使用にあたっては、エアゾール容器Ａに対して噴出ヘッドＢを一定の高さに押下げると、噴出ヘッドＢの噴出孔１１よりエアゾール容器Ａ内の内容物が噴出される。
その際、噴出ヘッドＢは、噴出ヘッドＢの側周壁１２外周の突部１５と肩カバーＣの内筒２２内周の案内突条３１との係合により案内され、噴出ヘッドＢの係合突部１４が肩カバーＣの内筒２２の案内凹部３０の高底面部３２ａ下面で上下動する。
【００１８】
エアゾール容器Ａ内の内容物を全て噴出し終わった後、容器を安全に廃棄するため、エアゾール容器Ａ内に残留したガスを抜く。
【００１９】
容器内からガスを抜く際に、まず、噴出ヘッドＢの上壁１０嵌合溝１３に、コインｃなどの平板状のものを嵌合させる。
コインｃなどの平板状のものを手指などで右回転させると、嵌合により噴出ヘッドＢ自体もエアゾール容器Ａのステム５上で右廻動させられる。
仮に、コインｃなどの平板状のものを手指などで左回転させようとしても、噴出ヘッドＢの係合突部１４の側面が、キャップＣの内筒２２の案内凹部３０の高底面部３２ａ側の側面３３に当接するので、噴出ヘッドＢおよびコインｃなどの平板状のものの左廻動が阻止されている。
【００２０】
噴出ヘッドＢが右廻動すると、噴出ヘッドＢの側周壁１２外周の突部１５が、肩カバーＣの内筒２２内周の案内突条３１との係合が外れ、さらに、噴出ヘッドＢの係合突部１４上面が、図３（ｂ）に示すように、肩カバーＣの内筒２２の案内凹部３０の底面３２の高底面部３２ａから傾斜底部３２ｃへ摺動する。
噴出ヘッドＢの係合突部１４上面が傾斜底部３２ｃの傾斜面を摺動することで、噴出ヘッドＢ自体が下方に押下げられながら右廻動することになる。
【００２１】
噴出ヘッドＢが下方に押下げられながら右廻動することで、噴出ヘッドＢがエアゾール容器Ａに対して一定の高さに押下げられると、噴出ヘッドＢの噴出孔１１よりエアゾール容器Ａ内に残留したガスが噴出される。
また、噴出ヘッドＢが廻動して一定の高さに押下げた時に、噴出ヘッドＢの噴出孔１１が、肩カバーＣの噴出用の切欠部２０ではなく、筒状体の内筒２２内周に向くようになり、噴出孔１１から噴出した容器内のガス、または、残留した内容物が直接外方に噴出して容器外を汚すことを防止できる。
【００２２】
さらに、噴出ヘッドＢが右廻動すると、図３（ｃ）に示すように、噴出ヘッドＢの係合突部１４上面が案内凹部３０の低底面部３２ｂ下面を摺動し、噴出ヘッドＢ自体が下方に押下げられた状態の高さを維持したまま、図４に示すように、噴出ヘッドＢの係合突部１４の側面が、案内凹部３０の低底面部３２ｂ側の側面３３に当接し、噴出ヘッドＢおよびコインｃなどの平板状のものの廻動が止められる。
【００２３】
最後に、コインｃなどの平板状のものと噴出ヘッドＢの嵌合溝１３との嵌合を外せば、本発明容器は、噴出ヘッドＢが押下げられた状態を維持できるので、エアゾール容器Ａ内に残ったガスおよび残留物を噴出ヘッドＢの噴出孔１１から完全に抜き、容器を安全に廃棄することができる。
【００２４】
本発明の噴出容器は、肩カバーＣの筒状体が、噴出ヘッドＢの側周をほとんど覆っているので、噴出ヘッドＢを手指で把持し、回転させることを防止している。
また、噴出ヘッドＢの側周壁１２外周の突部１５と、肩カバーＣの内筒２２内周の案内突条３１との係合により上下動が案内されているので、噴出ヘッドＢの押下げ時の誤操作による噴出ヘッドＢの廻動を阻止している。
【００２５】
さらに、コインｃなどの平板状のものを噴出ヘッドＢの嵌合溝１３に嵌合し、回転させないと、噴出ヘッドＢを廻動し、エアゾール容器Ａ内に残留したガスを抜くことができないので、誤操作を防止するばかりではなく、消費者がコインｃなどの平板状のものを使うことで、エアゾール容器Ａ内のガス抜きを行うことに対する意識付けを喚起することができる。
【００２６】
上記実施形態では、肩カバーＣの内筒２２下端に設けた案内凹部３０に、両側面の側面３３と、底面３２の右側に高底面部３２ａ、左側に低底面部３２ｂを設け、噴出ヘッドＢの係合突部１４の上面および側面と係合することで、噴出ヘッドＢの廻動方向を右回転としたが、案内凹部３０の底面３２の右側に低底面部、左側に高底面部とすると、容器組立の際に、最初に噴出ヘッドＢの係合突部１４の上面および側面と係合するのが、案内凹部３０の左側の高底面部とその側の側面３３とすれば、噴出ヘッドＢの廻動方向を左回転とすることができる。
コインｃなどの平板状のもの、および、噴出ヘッドＢの回転方向は、上記実施例に限定されない。
【００２７】
上記実施形態では、噴出ヘッドＢの上壁１０にコイン等の側部を係合させる嵌合溝１３を設けたが、嵌合溝に変え、上壁１０にコイン等の巾に対応する距離を置いて平行する二つの突条を立設するようにしてもよく、嵌合溝に限定されない。
【００２８】
また、上記実施形態では、噴出ヘッドの上下動を案内するため、噴出ヘッドＢの側周壁１２に突部１５を設け、肩カバーＣの内筒２２の内周面に二条の案内突条３１を設けたが、側周壁１２に突条を設け、内筒２２の内周に突条を挟むように二つの突起を設けてもよく、その配設位置、形状も、噴出ヘッドの上下動を案内するとともに、廻動時に係合が離脱できるものであればよいので、とくに限定されない。
【産業上の利用可能性】
【００２９】
本発明は、エアゾール容器内の内容物を全て使い終わった後、噴出ヘッドの上部に、コインなどの平板状のものを嵌合させ、回転させることで、噴出ヘッドを廻動させるとともに押下げ、押下げ状態を維持することで噴出ヘッドの噴出孔より容器内に残ったガス、および残留物を安全かつ確実に抜くことができるので、化粧品、薬品、その他の内容物噴出容器として広く利用することができる。
【図面の簡単な説明】
【００３０】
【図１】本発明噴出容器の説明図で、（ａ）は上面図、（ｂ）は一部断面図である。
【図２】噴出容器の斜視図である。
【図３】噴出ヘッドの係合突部と肩カバーの案内凹部との関係図で、（ａ）は噴出ヘッド廻動前、（ｂ）は噴出ヘッド廻動中、（ｃ）は噴出ヘッド廻動終了時である。
【図４】噴出容器の噴出ヘッド廻動時の説明図である。
【符号の説明】
【００３１】
Ａ          エアゾール容器
Ｂ          噴出ヘッド
Ｃ          肩カバー  
ｃ          コイン
１          胴部
２          肩部  
３          マウンテンカップ
４          係合環  
５          ステム
１０        上壁
１１        噴出孔
１２        側周壁
１３        嵌合溝
１４        係合突部
１５        突部    
２０        噴出用の切欠部
２１        操作用の切欠部  
２２        内筒
２３        係合筒
２４        外筒
２５        頂壁
２６        傾斜壁
２７        側壁
２８        上壁
２９        側壁
３０        案内凹部
３１        案内突条
３２        底面
３２ａ      高底面部
３２ｂ      低底面部
３２ｃ      傾斜底部
３３        側面
３５        係合突条
【図１】
2007119034.tif 000003
【図２】
2007119034.tif 000004
【図３】
2007119034.tif 000005
【図４】
2007119034.tif 000006